(57)【要約】【課題】フェライトに溝を形成することなく簡単にフェライトにコイルを一定の間隔で均一に巻くことができ、この結果、複雑な工程を行うことなく電気特性を向上させたアンテナ装置を得る。【解決手段】フェライト１と、フェライト１に隣接して配置された複数の端子と、フェライト１を巻回するコイル３と、コイル３を均一に被覆する絶縁層４とを備え、複数の端子の一部とコイル３が接続され、コイル３をフェライト１に巻回するに際し、絶縁層４が互いに接触するように巻回することによりコイル３の間隔を均一にしたものである。【選択図】図２
2011259117.tif 000002
【特許請求の範囲】
【請求項１】
磁性体と、該磁性体に隣接して配置された複数の端子部と、前記磁性体を巻回するコイル部と、該コイル部を均一に被覆する絶縁層とを備え、前記複数の端子部の一部と前記コイル部が接続され、前記コイル部を前記磁性体に巻回するに際し、前記絶縁層が互いに接触するように巻回することにより前記コイル部の間隔を均一にしたことを特徴とするアンテナ装置。
【請求項２】
前記磁性体の表面に接着部材を形成し、前記コイル部を前記接着部材上で巻回することを特徴とする請求項１記載のアンテナ装置。
【請求項３】
磁性体と、該磁性体に隣接して配置された複数の端子部と、前記磁性体を巻回するコイル部と、断面部の直径がほぼ均一な長尺状の絶縁層とを備え、前記複数の端子部の一部と前記コイル部が接続され、前記コイル部と前記絶縁層とを交互に密着させて前記磁性体に巻回させたことを特徴とするアンテナ装置。
【発明の詳細な説明】
【技術分野】
【０００１】
本発明は、ＲＦ−ＩＤ、すなわちＩＣカードやＩＣタグ等の無線通信媒体との通信を行う無線通信媒体処理装置、あるいは無線通信媒体そのものに用いられるアンテナ装置に関するものである。
【背景技術】
【０００２】
近年、携帯電話等の携帯端末にＲＦ−ＩＤ用無線タグを内蔵したものや、非接触型ＩＣカードやＩＣタグを読み取る機能を搭載したものが普及してきている。この種の装置に用いられるアンテナ装置は、例えば（特許文献１）に記載されているように、フェライトシートにコイルを複数回、巻回して構成され、フェライトの角部付近に端子を備えたものが知られている。通常、端子はフェライトのそれぞれの角部付近に合計で４つ備えられ、そのうちの２つがコイルとその他の部分とを接続するために用いられている。なお、その他の端子はコイルに接続されずにアンテナ装置を安定して設置するために用いられる。
【０００３】
このようなコイルを複数回、巻回して構成されたアンテナ装置においては一定の間隔を設けてコイルを巻くことが重要である。なぜなら、コイルの間隔が不均一であると共振周波数が変動して電気的特性が変わってしまうためである。この課題を解決するために、例えば（特許文献２）に記載されているように、フェライトの表面に一定間隔の溝を形成することにより、手作業であってもコイルを一定間隔で均一に巻くことができるチョークコイルが提供されている。
【先行技術文献】
【特許文献】
【０００４】
【特許文献１】特開２００４−１５９３４８号公報
【特許文献２】特開昭６１−２１９１１５号公報
【発明の概要】
【発明が解決しようとする課題】
【０００５】
しかしながら、上記（特許文献２）で開示された装置では、簡単にコイルを一定間隔で巻くことは可能になるもののフェライトに一定間隔で溝を形成しなければならず、フェライトの生成において複雑な工程が必要であった。この結果、アンテナ装置の工程も複雑になり、装置全体のコストアップにもつながるという課題があった。
【０００６】
本発明は、上記の課題に鑑みて為されたものであり、フェライトに溝を形成することなく簡単にフェライトにコイルを一定の間隔で均一に巻くことができ、この結果、複雑な工程を行うことなく電気特性を向上させたアンテナ装置を提供することを目的とする。
【課題を解決するための手段】
【０００７】
上記目的を達成するために、磁性体と、該磁性体に隣接して配置された複数の端子部と、前記磁性体を巻回し、前記端子部に接続されるコイル部と、該コイル部を均一に被覆する絶縁層とを備え、前記コイル部を前記磁性体に巻回するに際し、前記絶縁層が互いに接触するように巻回することにより前記コイル部の間隔を均一にしたものである。
【発明の効果】
【０００８】
本発明によれば、上記構成により磁性体に溝を形成することなく簡単に磁性体にコイルを一定の間隔で均一に巻くことができ、この結果、複雑な工程を行うことなく電気特性を向上させたアンテナ装置を得ることができる。
【図面の簡単な説明】
【０００９】
【図１】本発明の一実施例におけるアンテナ装置の概略構成図
【図２】本発明の一実施例におけるアンテナ装置に利用されるコイルの生成工程を示す図
【図３】本発明の一実施例におけるアンテナ装置に利用されるコイルと絶縁層の断面図
【図４】本発明の別の実施例におけるアンテナ装置の生成工程を示す図
【図５】本発明の一実施例におけるコイルが巻回されたアンテナ装置の概略構成図
【図６】本発明の別の実施例におけるアンテナ装置に利用されるコイルの生成工程を示す図
【図７】本発明の別の実施例におけるアンテナ装置に利用されるコイルと絶縁層の断面図
【発明を実施するための形態】
【００１０】
第１の発明は、磁性体と、該磁性体に隣接して配置された複数の端子部と、前記磁性体を巻回し、前記端子部に接続されるコイル部と、該コイル部を均一に被覆する絶縁層とを備え、前記コイル部を前記磁性体に巻回するに際し、前記絶縁層が互いに接触するように巻回することにより前記コイル部の間隔を均一にしたものである。これにより、磁性体に溝を形成することなく簡単に磁性体にコイルを一定の間隔で均一に巻くことができ、この結果、複雑な工程を行うことなく電気特性を向上させたアンテナ装置を得ることができる。
【００１１】
また、第２の発明は、前記磁性体の表面に接着部材を形成し、前記コイル部を前記接着部材上で巻回するようにしたものであり、これにより接着部材の作用によりコイル部及び絶縁層を磁性体上の正確な位置で移動することなく巻回することができる。
【００１２】
さらに、第３の発明は、磁性体と、該磁性体に隣接して配置された複数の端子部と、前記磁性体を巻回し、前記端子部に接続されるコイル部と、断面部の直径がほぼ均一な長尺状の絶縁層とを備え、前記コイル部と前記絶縁層とを交互に密着させて前記磁性体に巻回させたようにしたものである。これにより、上記第１の発明と同様の効果を得ることができる。
【００１３】
以下、本発明の実施例について図面を用いて説明する。図１は本発明の一実施例におけるアンテナ装置の概略構成図であり、１はフェライトで、略直方体の形状を有する。２は端子でありフェライト１の４つの角部近傍に接続されている。端子２は実装される装置と電気的に接続する機能とともにアンテナ装置を安定に設置するための機能も有する。４つの端子２の中で２つの端子は後述するコイルと接続されている。
【００１４】
図２は本発明の一実施例におけるアンテナ装置に利用されるコイルの生成工程を示す図である。図２における左側にコイル３を示す。このコイル３に絶縁層４を被覆する（図２の中央部）。そして、このコイル３に絶縁層４を被覆したものを整列した状態を図２の右側に示す。本実施例ではコイル３の直径ａを０．１８ｍｍとし、絶縁層４は幅ｂを０．１ｍｍとしてコイル３の周囲を被覆している。従って、絶縁層４を被覆したコイル３を隙間なく整列させれば、コイル３の間隔は絶縁層４の幅ｂの２倍に等しい間隔を有することになる。コイル３を巻く工程においては単に絶縁層４を被覆したコイル３を隙間なく整列させればよいので手作業でも簡単にコイル３の間隔を均一にすることができ、この結果、フェライト１に溝を形成しなくても電気的特性を向上させたアンテナ装置を得ることができる。本実施例では、コイル３の間隔を０．２ｍｍとしてフェライト１に巻回している。この間隔はアンテナ装置によって定められるものであり、間隔を狭める場合にはその間隔に応じて絶縁層４の幅を小さくし、間隔を広げる場合には同様に絶縁層４の幅を大きくすればよい。
【００１５】
図３は本発明の一実施例におけるアンテナ装置に利用されるコイルと絶縁層の断面図である。図３から明らかなようにコイル３の周囲を均一に絶縁層４が被覆している。
【００１６】
図４は本発明の別の実施例におけるアンテナ装置の生成工程を示す図である。図４の左側にはフェライト１を示す。このフェライト１に両面テープあるいは接着樹脂等の粘着剤４１を貼り付け（図４の中央部）、これに図２及び図３で説明したコイル３を巻回する。これにより絶縁層４が被覆されたコイル３が良好にフェライト１に巻回されることになり、一旦コイル３がフェライト１に巻回されると、粘着剤４１の作用により位置ずれを防止することができる。
【００１７】
図５は本発明の一実施例におけるコイルが巻回されたアンテナ装置の概略構成図である。コイル３はそれぞれフェライト１の対角に備えられた端子２に接続されており、これら端子２はアンテナ装置が取り付けられる装置のラインと接続されている。このようにコイル３の間隔が絶縁層４の幅によって均一さを確保することができ、その結果、アンテナ装置の共振周波数の変動を防止することができる。
【００１８】
図６は本発明の別の実施例におけるアンテナ装置に利用されるコイルの生成工程を示す図及び図７は本発明の別の実施例におけるアンテナ装置に利用されるコイルと絶縁層の断面図である。図６で示すコイル３は絶縁層６１に巻回されているのではなく、絶縁層６１に隣接された構成となっている。コイル３と絶縁層６１の直径ａとｂはそれぞれ一例として０．１８ｍｍ及び０．２０ｍｍである。図７で示すようにコイル３及び絶縁層４共に円形の断面図を有しており、このように構成することにより、各コイル３の間隔を常に一定、すなわち絶縁層６１の断面直径分の間隔にすることができ、前述した実施例と同様に共振周波数の変動を防止することができる。
【産業上の利用可能性】
【００１９】
本発明のアンテナ装置によれば、フェライトに溝を形成することなく、フェライトにコイルを一定の間隔で均一に巻くことができ、この結果、複雑な工程を必要とせずに電気特性を向上させることができ、アンテナ装置を用いた通信装置に有用である。
【符号の説明】
【００２０】
１    フェライト
２    端子
３    コイル
４    絶縁層
４１    粘着剤
６１    絶縁層
【図１】
2011259117.tif 000003
【図２】
2011259117.tif 000004
【図３】
2011259117.tif 000005
【図４】
2011259117.tif 000006
【図５】
2011259117.tif 000007
【図６】
2011259117.tif 000008
【図７】
2011259117.tif 000009